(57)【要約】  使用者に動的な足支持を設けるための装置とシステムが記載されている。装置は、ヒール支持板部と、足支持板部と、足支持板部に対するヒール支持板部の相対的な動きを許す緩衝装置とを有している。装着者が、このような装置を含む履物を履く時に、装着者の足が、自然な歩行運動の間は履物内にて曲がって彎曲されるので、これによって血液の流れを促進して、応力を防止し、気楽さを増大して、痛みを減少する。
2005511180.tif 000002
【特許請求の範囲】
【請求項１】
足のヒール部分を支持するためのヒール支持板部と、
足の末端部を支持するための足支持板部と、
ヒール支持板部と足支持板部に連結された緩衝装置と、を有し、緩衝装置は、力がヒール支持板部に作用される時に、足支持板部に対するヒール支持板部の相対的な動きを許すようになっていることを特徴とする動的足支持装置。
【請求項２】
ヒール支持板部と足支持板部とを連結するピボット継手をさらに有し、足支持板部に対するヒール支持板部の相対的な動きがピボット継手周りに円弧状に起こることを特徴とする請求項１に記載の動的足支持装置。
【請求項３】
ピボット継手上に配置された保護材料の層をさらに有し、保護材料の層がピボット継手の動きから足を保護することを特徴とする請求項２に記載の動的足支持装置。
【請求項４】
ヒール支持板部の内側に配置された内部支持層をさらに有し、内部支持層がヒール支持板部に対する構造的支持を設けていることを特徴とする請求項１に記載の動的足支持装置。
【請求項５】
ヒール支持板部の相対的な動きが、足支持板部に対して調節できることを特徴とする請求項１に記載の動的足支持装置。
【請求項６】
ヒール支持板部の相対的位置が、足支持板部に対して可逆的に固着できることを特徴とする請求項１に記載の動的足支持装置。
【請求項７】
緩衝装置をヒール支持板部と足支持板部に連結する緩衝装置の両端部の連結部材をさらに有し、該連結部材が装着者によって緩衝装置を取り換えるようにできることを特徴とする請求項１に記載の動的足支持装置。
【請求項８】
足のヒール部分を支持するためのヒール支持板部と、
足を支持するための足支持板部と、
力がヒール支持板部に作用される時に、足支持板部に対するヒール支持板部の動きを許す手段と、を有することを特徴とする動的足支持装置。
【請求項９】
前記動きを許す手段は、ヒール支持板部と足支持板部を連結するピボット継手を有し、該ピボット継手は、ピボット継手周りの円弧状に、足支持板部に対するヒール支持板部の相対的な動きを許すことを特徴とする請求項８に記載の動的足支持装置。
【請求項１０】
ピボット継手に配置される保護材料の層をさらに有し、該保護材料の層が、ピボット継手の動きから足を保護することを特徴とする請求項９に記載の動的足支持装置。
【請求項１１】
ヒール支持板部の内側に配置された内部支持層をさらに有し、該内部支持層が、ヒール支持板部に対する構造的支持を設けていることを特徴とする請求項８に記載の動的足支持装置。
【請求項１２】
ヒール支持板部の相対的な位置が、足支持板部に対して可逆的に固着できることを特徴とする請求項１に記載の動的足支持装置。
【請求項１３】
ヒール支持板部の相対的な動きが、足支持板部に対して調節できることを特徴とする請求項８に記載の動的足支持装置。
【請求項１４】
前記運動を許す手段が、装着者によって取り換え可能であることを特徴とする請求項１に記載の動的足支持装置。
【請求項１５】
足に適合するための履物と、該履物内に協同される動的足支持プラットフォームと、を有する動的足支持装置のためのシステムであって、該動的足支持プラットフォームは、足のヒール部を支持するヒール支持板部と、足を支持するための足支持板部と、ヒール支持板部および足支持板部と連動する緩衝装置とを有しており、該緩衝装置は、力がヒール支持板部に作用される時に、足支持板部に対するヒール支持板部の相対的な動きを許すことを特徴とする動的足支持のためのシステム。
【請求項１６】
ヒール支持板部と足支持板部を連結するピボット継手をさらに有し、該ピボット継手は、ピボット継手周りの円弧状に、足支持板部に対するヒール支持板部の相対的な動きを許すことを特徴とする請求項１５に記載のシステム。
【請求項１７】
ピボット継手に配置される保護材料の層をさらに有し、該保護材料の層が、ピボット継手の動きから足を保護することを特徴とする請求項１６に記載のシステム。
【請求項１８】
ヒール支持板部の内側に配置された内部支持層をさらに有し、該内部支持層が、ヒール支持板部に対する構造的支持を設けていることを特徴とする請求項１５に記載のシステム。
【請求項１９】
ヒール支持板部の相対的な動きが、足支持板部に対して調節できることを特徴とする請求項１５に記載のシステム。
【請求項２０】
ヒール支持板部の相対的な位置が、足支持板部に対して可逆的に固着できることを特徴とする請求項１５に記載のシステム。
【発明の詳細な説明】
【技術分野】
【０００１】
本発明は、足支持に関するものである。特に、本発明は、足からの作用される応力に関連して動くことができる足支持に関するものである。
【背景技術】
【０００２】
この出願は、全体をここに参照することによって関連される、２００１年１２月７日に出願した米国特許出願第６０/３３６,６７９号の権益を主張する。
【０００３】
履物の選択を楽にする正当な順位を求めることは、一般的に骨の折れる仕事である。足が、一般的な一日の間に、耐え得なければならない一定の応力と引っ張りは、装着される履物の形式によって大部分が緩衝される。所要される履物の選択における別の要因は、流行（ファッション）である。しばしば、安楽さと流行は、適切な履物を選択するように互いに釣り合いがとられる。例えば、高いヒールの靴を履くことによる一般的な問題は、このような靴を長い時間の間、履いていることが、これらの魅力的な外観と流行の魅力における望ましさにも拘わらず、楽でないことである。
【０００４】
不都合なことに、ある種の型の履物を履くことによる足が楽でないことの問題が、まだ在る。例えば、高いヒールの履物により生じられる足が楽でない問題に対する実行可能な解決策が、まだ無い。このような高いヒールの履物は、足における過度な痛みを生じると共に、短い時間以上に長く履く時に、ふくらはぎと足に不快さを生じる。さらに、履く人は、このような痛みと、代案の不足を与える流行のための不快さとを耐えなければならない。従って、安楽さと安全は、流行のためにしばしば犠牲にされて、一日の終りにおける痛みと損傷の原因となっている。
【０００５】
（発明の要約）
本発明は、気楽で、弾性的で、かつ調節自在に適合できる履物に協同される動的な機構である。該機構は、発生した足の応力の方向に移動する可動要素を有しており、これによって、足が自然な運動の動きを介して動くように、足を緩衝している。さらに、該機構は、異なる反動的な引張りと高さのために調節することができるので、これによって、自然な運動の際に足に作用される応力と歪みを低減する。本発明は、安全性と気楽さとを提供するように設計されると共に、所要されるファッション感覚を維持している。さらに、機構は、このような機構と協同する履物を装着する使用者の足取りに“ばね”をまた提供する。このような動的足支持機構が一緒に適用される高いヒールの靴は、履く人に一層安楽であり、標準の強固な高いヒールの靴に関連した痛みと不快さとを低減し、強固な高いヒールの靴での歩行からの損傷に関連した危険を低減する。
【０００６】
ここに使用されると共に、この記述における、用語“履物”は、１つ以上の複数個の足に可逆的に取り付けできる、いかなる製品をも意味している。このような履物は、履物を足に可逆的に固着して、履物に対して実質的に安定な位置に足を維持するように、ストラップ、バックル、ベルクロ（ＶＥＬＣＲＯ、フック・ループ・ファスナー）や他の同様な手段を含んでいる。例示的な履物は、これに限定されること無く、靴、サンダル、ブーツ、インラインスケート、ローラースケート、アイススケート、スキー靴、スノーボード用靴、および同様なもの等を含むものである。他の形式の履物もまた可能である。
【０００７】
ここに使用されると共に、この記述において、用語“緩衝装置”は、機構に作用される応力を減少する機構を意味している。言い換えれば、緩衝装置は、作用される応力を緩衝して、その一部を内部的に吸収する。例示的な緩衝装置は、これに限定されること無く、ショックアブソーバー、ピストン、スプリング、粘性材料、粘性電気的材料、クッション材料、および同様なもの等を含むものである。力が緩衝装置内の与えられた予定の長さの材料に作用されるような時に、このような材料が力を低減するようにできる限りは、他の材料が緩衝装置に使用することができる。
【０００８】
本発明の例示的な実施例は、動的な足支持装置である。該装置は、足のヒール部分を支持するためのヒール支持板部と、足の末端部を支持するための足支持板部と、ヒール支持板部および足支持板部に連結された緩衝装置とを有し、緩衝装置は、力がヒール支持板部に作用される時に、足支持板部に対するヒール支持板部の相対的な動きを許す。
【０００９】
本発明の別の例示的な実施例は、動的に足を支持するための装置である。この装置は、足のヒール部を支持するためのヒール支持板部と、足を支持するための足支持板部と、力がヒール支持板部に作用される時に、足支持板部に対してヒール支持板部の動きを許すための手段とを有している。
【００１０】
本発明のさらに他の例示的な実施例は、動的に足を支持するためのシステムである。このシステムは、足に適合するための履物と、履物内に協同される動的足支持プラットフォームとを有している。動的足支持プラットフォームは、足のヒール部を支持するためのヒール支持板部と、足を支持するための足支持板部と、ヒール支持板部および足支持板部と連動する緩衝装置とを有しており、該緩衝装置は、力がヒール支持板部に作用される時に、足支持板部に対するヒール支持板部の相対的な動きを許している。
【００１１】
（推奨実施例の詳細な説明）
動的な足支持のための本発明の例示的な装置は、動いている際に足に課せられる応力の大きさを低減するように使用される１つ以上の緩衝装置を有している。このような緩衝装置は、足の底部側に動的な動きを設けるように履物のヒール領域またはその付近に配置することができる。高いヒールを有する履物は、比較的高い利点を維持するようにこのような緩衝装置を使用することができると同時に、高いヒールから足に課せられる応力を防ぐように足に動的な動きをもたらしている。付加的に、このような履物は、緩衝装置が、足の底部を僅かに推進する反力を設けるように、使用者のステップに“スプリング”をまた設けている。従って、走者または早く歩く人は、本発明の安楽さからまた利益を得ることができる。このような動的な足支持は、足に課せられる応力を低減し、可能な損傷を減少し、気楽さを増大すると共に、健康と安全性を促進する動的な応答装置を装着者に設けるように、どのような形式の履物にも協同できる。任意に、本発明に従った装置は、履物に遡及的に適合できる。
【００１２】
図１は、本発明に従った動的足支持プラットフォーム１００の例示的な実施例を示している。動的足支持プラットフォーム１００が、特別な特長を有する与えられた形状に示されているが、本発明は、このような例示的な実施例に限定されるものではない。他の動的足支持プラットフォームの実施例が可能であって、本発明の範囲の内にある。さらに、このような動的足支持プラットフォームを有する履物は、また、本発明の範囲内にある。
【００１３】
本発明の実施例に従った動的足支持プラットフォームの例示的な実施例が図２に示されている。動的足支持プラットフォーム２００は、足のヒール端部を揺動するためのヒール支持板部２２０（図２ｂ、図２ｃ）と、足の底部側、特に、足のつま先末端部を揺動するための足支持板部２３０（図２ｄ）と、ヒール支持板部２２０の下方圧力を緩衝するための緩衝装置２１０とを有している。ヒール支持板部２２０は、足のヒールを支持するように一般的に適合される。足支持板部２３０は、足の末端部分をヒールに支持させて揺動するように一般的に適合される。緩衝装置２１０は、動的足支持プラットフォーム２００上の足によって作用される異なった圧力に適合するように長さを調節する。
【００１４】
さらに、緩衝装置２１０は、履物の動的反応の一層の選択を装着者に与えるように、与えられた足支持プラットフォームにおいて容易に取り換えることができる。足支持プラットフォーム２００内に緩衝装置２１０を固着する連結部材は、緩衝装置２１０の迅速な取り換えを使用者に許すように容易に係合、取り外すことができる。異なった緩衝装置２１０は、異なった弾性と反応力を設けることができ、これによって与えられた装着者に安楽な範囲をもたらす。動的足支持プラットフォーム２００内の緩衝装置２１０の動的作用は、以下にさらに詳細に説明される。
【００１５】
緩衝装置２１０は、例えば、与えられた回転ピボット領域周りの回転を促進することによって、足支持板部２３０に関する位置にヒール支持板部２２０を調節するようにできる。このような回転ピボットは、例えば、ピン適合溝２３６内のピン２３５とすることができる。ピボット領域のための他の形状が可能である。
【００１６】
緩衝装置２１０は、１つ以上の連結部材を介してヒール支持板部２２０を足支持板部２３０に連結する。緩衝装置２１０をヒール支持板部２２０に連結するように使用される例示的な連結部材は、緩衝装置２１０の一端にある管状スナップ係合構造２２５である。管状スナップ係合構造２２５は、ヒール支持板部２２０の領域２２６に適合する管状構造に適合される。緩衝装置２１０の他端には、緩衝装置２１０を足支持板部２３０のヒール端部に緩衝装置２１０を固着連結する別のシステムの連結部材２１５である。他の連結システムが使用できる。このような他の連結システムは、以下に説明される。
【００１７】
例えば、歩行中の足の下方運動の結果として、プラットフォーム２００に圧力が作用される時に、緩衝装置２１０は、長さを調節できる。緩衝装置２１０の長さのこのような変化は、このような圧力の適用の前後の足支持板部２３０に関するヒール支持板部２２０の相対的な位置の変化に起因する。反対に、同じ圧力が低減またはプラットフォーム２００から引き込められる時には、そこで、緩衝装置２１０が長さが増大されて、これによって、再び、足支持板部２３０に関するヒール支持板部２２０の相対的位置を変化する。緩衝装置２１０の長さのこのような変化は、装着者において一層安楽で、安全で、かつ痛みが少ないステップの緩衝作用に起因している。同じ原理が、ここに示される全ての例示的な実施例に適用される。
【００１８】
図３は、本発明の別の例示的な実施例に従った動的足支持プラットフォームを示している。動的足支持プラットフォーム３００は、緩衝装置３１０と、ヒール支持板部３２０と、足支持板部３３０とを有している。緩衝装置３１０は、例えば、ピボットブラケット構造３１２とすることができる連結部材を介して、足支持板部３３０のヒール部３３６に連結される。ピボットブラケット構造３１２のブラケットを足支持板部３３０内に固着するように、内ブラケット支持部３３７が使用できる。内ブラケット支持部３３７は、足支持板部３３０内の固着部材として作用できる、例えば、硬質プラスチック、金属、または適宜な材料とすることができる。ヒンジ３４０のような連結部材は、ヒール支持板部３２０を足支持板部３３０に連結する。
【００１９】
足支持板部３３０は、つま先領域からヒール領域に延びる使用者の足を支持する細長いほぼ平面の形状とすることができる。代わりに、足支持板部３３０は、その長さ方向を横切って不均一にすることができ、機能的または形状的な目的のために本体に沿って溝または峯状部３３２を有することができる。他の形状、例えば、切欠きや、または幾何学的なデザインが使用できる。ヒンジ３４０の耐久性を高めるように、保護材料３５０の層を、ヒンジ３４０の上に配置することができる。さらに、保護材料３５０の層は、ヒンジ３４０の可動機構との接触によって損傷されることから、足の底部を保護する。保護材料３５０の層は、例えば、パッド、テープ、スポンジ、または他の適宜な材料とすることができる。さらに、ヒンジ３４０のための支持材料３４５の内層は、ヒンジ機構の可撓性を促進すると共に、構造的完全性を維持する。例えば、支持材料３５０の内層は、その上に適用が行われる時に、ヒール支持板部３２０の運動を許すように実質的に強固で、かつ十分に可撓性であるようにできる。
【００２０】
図４は、本発明の他の例示的な実施例に従った動的足支持プラットフォーム４００を示している。動的足支持プラットフォーム４００は、緩衝装置４１０と、ヒール支持板部４２０と、足支持板部４３０とを有している。さらに、ライニング層４５０が、ヒール領域からつま先領域に足の下側の全長に亘ってライニング層４５０が延びるように、ヒール支持板部４２０の頂部と足支持板部４３０の上に配置されている。このようなライニング層４５０は、例えば、クッションゴム、革、発泡材、織物、ゴム、または同様な材料から構成できる。他の適宜な材料が可能であり、本発明の範囲内にある。ライニング層４５０の一部には、ライニングをヒール支持板部４２０と足支持板部４３０内に固着するように、足プラットフォーム４００内に溝が付けられる。
【００２１】
図５は、本発明の別の例示的な実施例を示している。動的足支持プラットフォーム５００は、緩衝装置５１０と、ヒール支持板部５２０と、足支持板部５３０とを有している。緩衝装置５１０は、連結部材５２２、５１２を介して、ヒール支持棚鋳た２０と足支持板部５３０にそれぞれ連結されている。内ヒール支持部５６２は、連結部材５１２の一部分を足支持板部５３０に固着している。内ヒール支持部５６２は、足支持板部５３０内の連結部材として作用できるように、例えば、硬質プラスチック、金属、または適宜な材料とすることができる。
【００２２】
足支持プラットフォーム５００と協同する履物を履いて使用者が歩く時に、各ステップをさらに緩衝するように、ヒールパッド５８０とソールパッド５８１が使用される。ヒールパッド５８０とソールパッド５８１は、例えば、ゴム、プラスチック、金属、または同様な材料、あるいはヒール／ソールパッドのために使用されるその組合せたもの等から構成することができる。
【００２３】
ヒールパッド５８０とソールパッド５８１以外の動的足支持プラットフォーム５００の全ての部材は、例えば、炭素繊維、ウレタン、プラスチック、アルミニウムと鋼とチタニウムとを含む軽合金、他の適宜な材料またはその組合せたもの等のような耐久性のある軽量な材料から構成できる。これらの材料は、ここに図示、説明されるいずれの他の実施例においても使用できる。別の適宜な材料が、中空の硬化された鋼のように可能である。さらに、緩衝装置５１０以外の動的足支持プラットフォーム５００の各部材が、増大された強度と耐久性のために炭素繊維によって被うことができる。炭素繊維と金属を製造中に一体化する技術は、良く知られたブラダー鋳造法とすることができる。このような方法においては、炭素繊維は、金属の制限されない領域の全ての周りを覆うことができ、制限される領域は取り付け点である。
【００２４】
連結部材５１２、５２２は、例えば、ねじの切られた固着ピンとして、図５に示されている。スナップ止連結部材、フック連結部材、ヒンジ、ねじ形ロッド、または適宜な連結部材等を含む他の形式の連結部材が使用できる。回転ピボット５３５が、ロッド係合溝内で回転するロッドとして図示されている。構造的安定性を犠牲にすることなく、回転ピボット５３５周りの足支持板部５３０に対するヒール支持板部５２０の運動を許す、硬質プラスチックの、刻み付の有孔、または崩れ易い領域を含む、他の形式の回転機構が使用できる。任意に、例えば、枢動領域の創設に基づく変化した領域またはラインにおける増大された可撓性を可能にするように、特別な領域またはラインにおいて、与えられたシートの材料の材料特性を変えることができる。
【００２５】
保護カバー５７０が、ヒール支持板部５２０と足支持板部５３０との間に延びる領域を横切って配置されている。保護カバー５７０は、動的足支持プラットフォーム５００の上に配置される使用者の足の底部を、回転ピボット５３５が損傷することから保護する。保護カバー５７０の先端部は、足支持板部５３０に対するヒール支持板部５２０のいかなる動きとも無関係に、保護カバー５７０の自由な運動を許す足支持板部５３０の保護カバー溝５７１内に固着できる。代わりに、保護カバー５７０は、ヒール支持板部５２０と足支持板部５３０の面に接着、または同様な具合に取り付けることができる。当業者には、他の取り付け方法が使用できることが明らかであろう。
【００２６】
図６は、本発明の他の実施例に従った動的足支持プラットフォームの実施例を示している。動的足支持プラットフォーム６００が、歩行中のような際に使用される時に、足を経た使用者の身体の下方への力は、ヒール支持板部６２０の相対的な下方および上方への運動に基づいて、ヒール支持板部６２０に作用される。このようなヒール支持板部６２０の下方および上方への全ての運動は、回転ピボット６４０周りの円弧状のヒール支持板部６２０の端部の回転によって可能になる。この機構は、ここに図示されて記載される他の実施例において、また明らかである。
【００２７】
使用において、足プラットフォーム６００の下方の力は、矢印６０１の方向のヒール支持板部６２０の下方運動と、矢印６０３の円弧状の方向のピボット６０４周りの回転とに基づいている。足プラットフォーム６００の下方への力の減少は、矢印６０２の方向のヒール支持板部６２０の上方運動と、矢印６０４の方向のピボット６０４周りの回転とに基づいている。
【００２８】
連結部材６２５は、一例として標準の金属ピンである。当業者には、他の形式の連結部材が使用できることが明らかであろう。図６ｂ、図６ｃ、図６ｅ、図６ｆにそれぞれ示される連結部材６２６、６２７、６２８、６２９は、連結部材の他の例である。連結部材６２７、６２７は、緊密な嵌合を形成するようにヒール支持板部６２０の底部側の溝（図示しない）に圧力嵌めされた圧力嵌め連結部材である。例えば、円柱状ヘッド６２６あるいは球形状ヘッド６２７のような圧力嵌め連結部材のために異なった幾何学的形状が使用できる。使用できる他の連結部材６２８は、ヒール支持板部６２０の底部側に配置されるピンのための溝（図示しない）を有するヘッドである。
【００２９】
別の連結部材６２９は、不完全な円柱状の形状をしており、緩衝装置６１０の一体的部材をなしている。この連結部材６２９は、ヒール支持板部６２０の溝（図示しない）にスナップ止め、または圧力嵌めすることができ、ネック部６３１を介して緩衝装置６１０の本体６３２に連結される。連結部材６２９の幅広のヘッドは、緩衝装置６１０上に下方への力の分布のための拡大された表面領域を設け、これによって、連結部材６２９の頂面上の与えられた点における応力を低減している。これは、ヒール支持板部６２０と緩衝装置６１０の間の連結部を強化する１つの方法である。また、他の強化方法が可能である。
【００３０】
図７は、本発明の別の例示的な実施例に従った動的足支持プラットフォームの一部を省略した側面図を示している。動的足支持プラットフォーム７００は、強度と耐久性を増大し、重量を軽減する内部材料層７２１を有するヒール支持板部７２０を具備している。材料層７２１は、例えば炭素繊維とすることができる。他の種類の材料も可能である。嵌め込みヒール７３８とソール７３９は、各ステップの緩衝をさらに促進する材料から形成することができる。ヒール７３８とソール７３９のためのこのような材料は、例えば、ゴム、プラスチック、金属、他の適宜な材料、あるいはこれらの組合せたもの等を含む。
【００３１】
また、ヒール支持板部７２０は、内部支持ブラケット７３０を含む。内部支持ブラケット７３０は、緩衝装置７１０の頂部の連結部材から回転ピボット７４０に延びる上アーム７２２を有している。下アーム７４５が、回転ピボット７４０から足支持板部内にさらに延びている。上アーム７２２と下アーム７４５との組合せは、回転ピボット７４０周りの領域を強化し、これによって、回転機構の長命を促進する。
【００３２】
緩衝装置７１０の他端には、緩衝装置７１０の底部において連結部材から延びる内部支持ブラケット７３７がある。各端部に配置されていて緩衝装置７１０に連結された支持ブラケットのこの多部材機構は、使用者の歩行運動から応力が生じられる動的足支持プラットフォーム７００の領域に内部スケルトン構造を与えることによって動的足支持プラットフォーム７００の構造的安定性の増大を促進する。構造的安定性の増大は、動的足支持プラットフォーム７００の耐久性を増大し、これによって、動的足支持プラットフォームと協同する履物の寿命を増大する。
【００３３】
図８は、本発明の他の実施例に従った動的足支持プラットフォーム８００を示している。動的足支持プラットフォーム８００が、歩行中であるように使用される時に、足を介した身体の下方への力は、ヒール支持板部８２０に作用されて、ヒール支持板部８２０の下方および上方運動を生じる。ヒール支持板部８２０のこのような全ての上方および下方の運動は、回転ピボット８４０周りの円弧状のヒール支持板部８２０の端部の回転によって可能となる。
【００３４】
使用中の、動的足支持プラットフォーム８００における下方への力は、矢印８０１の方向のヒール支持板部８２０の下方への動きと、矢印８０３の円弧状の方向のピボット８４０周りの回転とに基づいている。動的足支持プラットフォーム８００における下方への力の相対的な減少は、矢印８０２の方向のヒール支持板部８２０の上方への動きと、矢印８０４の円弧状の方向のピボット８４０周りの回転とに基づいている。
【００３５】
連結部材８２５が、例えば圧力嵌め連結部材として図８ａに示されている。図８ｂ、図８ｃ、図８ｅ、図８ｆにそれぞれ示される連結部材８２６、８２７、８２８、８２９は、図８ａの連結部材８２５の代わりとすることができる連結部材の他の例である。連結部材８２６、８２７は、緊密な嵌合を生じるようにヒール支持板部８２０の底部側の溝に押圧される圧力嵌め連結部材である。他の幾何学的な形状が、例えば、円柱状ヘッド８２６または球状ヘッド８２７のような圧力嵌め連結部材に使用できる。
【００３６】
使用できる別の連結部材８２８は、ヒール支持板部８２０の底部側に配置される、ピン（図示しない）のための溝を有するヘッドである。別の連結部材８２９は、不完全な円柱状の形状をしており、緩衝装置８１０の一体的部材をなしている。この連結部材８２９は、ヒール支持板部８２０の溝にスナップ止め、または圧力嵌めすることができ、ネック部８３１を介して緩衝装置８１０の本体８３３に連結される。連結部材８２９の幅広のヘッドは、緩衝装置８１０上に下方への力の分布のための一層の表面領域を設け、これによって、連結部材８２９の頂面上の与えられた点における応力を低減している。
【００３７】
図９は、本発明の別の例示的な実施例に従った動的足支持プラットフォーム９００を示している。動的足支持プラットフォーム９００は、ヒール支持板部９２０に連結された緩衝装置９１０を有している。図示される実施例において、連結部材９２２は、緊密に係合された連結部材である。当業者には、他の連結部材が使用できることが明らかであろう。緩衝装置９１０の他端は、足支持板部９３０のヒール部９３６に配置された取付突出溝９１４に適合される取付突部９１３を有している。保持ロッドまたはピンが、取付突部９１３と直角になった保持ハウジング９１５内に配置できる。このような保持ロッドまたはピンは、錠止されて取付突部９１３をヒール部９３６に固着する。取付突部９１３と取付突部適合溝９１４と保持ハウジング９１５の間の関係が、図９ａの対向する図である図９ｂと、図９ａの側面図である図９ｃにまた示されている。他の連結機構、突出機構、取付機構が可能である。
【００３８】
図１０は、本発明に従った動的足支持プラットフォームの別の例示的な実施例を示している。動的足支持プラットフォーム１０００は、緩衝装置１０１０とヒール支持板部１０２０と足支持板部１０３０とを有している。緩衝装置１０１０は、圧力嵌め連結として形状が図１０に示されている関連する溝１０２２内の連結部材１０２３を介してヒール支持板部１０２０に固着されている。他の連結部材が使用できることが当業者には明らかであろう。動的足支持プラットフォーム１０００の頂部に作用される力が、圧縮の際におけるように緩衝装置１０１０の寿命の減少を生じる時に、足支持板部１０３０に対するヒール支持板部１０２０の相対的な運動を可能にする。
【００３９】
緩衝装置１０１０は、ピン１０１２とブラケット１０１３のように図１０の実施例によって図示される連結部材を介して、足支持板部１０２０のヒール領域１０３６に固着される。他の形式の連結部材が使用できることが、当業者には明らかであろう。緩衝装置１０１０とヒール領域１０３６の間の連結の強度を一層増大するために、ブラケット１０１３をヒール領域１０３６に固着するヒール領域１０３６の内側に、内部支持構造１０３７が収容されている。このような構成は、構造的安定性と、例えば、急速な歩行または走行の際に出会うようなブレーキングなしに、動的足支持プラットフォーム１０００に作用される大きな応力に抵抗する能力とを促進する。
【００４０】
図１１は、本発明の別の実施例に従った動的足支持プラットフォームを示している。動的足支持プラットフォームは、ここに詳しく記載されるように、任意的な相違を除いては、動的足支持プラットフォーム１０００と同一の一般的な部材を大体有している。緩衝装置をヒール支持板部に固着する連結部材１１２２は、緩衝装置の頂部を保持する保持ピンを有している。他の形式の連結部材を使用できることが当業者には明らかであろう。
【００４１】
支持材料１１６０の層は、ヒール支持板部１１２０と足支持板部１１３０の長さに亘っている。材料の層１１６０は、構造的な安定性を動的足支持プラットフォーム１１００に加えて動的運動中の強度を維持する、炭素繊維、硬質プラスチック、または他の適宜な材料から形成することができる。このような支持材料１１６０の層は、回転ピボット１１４０を保護するようにヒール支持板部１１２０の底部を横切る長さにできる。代わりに、支持材料１１６０の層は、ヒール支持板部１１２０の本体の中、またはヒール支持板部１１２０の上、あるいはその組合せたものに配置できる。ピン１１１２は、緩衝装置１１１０の底端部を保持ブラケット１１６２に固着する。保持ブラケット１１６２は、ピン１１１２を保持するための溝を有する上端部と、足支持板部のヒール領域内にしっかりと固着された底部係止部とを有する一体的構造である。図１０に示されるような多保持ブラケット構造に対向する図１１に示されるような保持ブラケット１１６２を有する一体的構造は、部材の数と費用と製造の複雑さとを低減する。
【００４２】
本発明に従った種々な足支持プラットフォームの上記の例示的な実施例は、ヒール支持板部に対して特別な角度で配置された緩衝装置を有するように示されている。さらに、簡略化のために、各例示的な実施例には単一緩衝装置が示されている。しかしながら、他の角度と配置の緩衝装置が、多緩衝装置と同様にまた可能である。緩衝装置は、どのような方向にも配置することができ、力の緩衝が得られる。
【００４３】
図１２は、本発明の実施例に従った動的足支持プラットフォーム１２００の別の実施例を示す概要図である。図１２は、足支持プラットフォーム１２００における別の角度と配置の緩衝装置１２１０を示している。緩衝装置１２１０は、上記の例示的な実施例に示され、かつ説明されるような連結部材を用いるヒール支持板部１２２０に固着されている。しかしながら、緩衝装置１２１０の底端部は、上に図示、説明される例示的な実施例におけるよりも一層内部にある位置から突出するブラケット１２５０を用いる足支持板部１２３０に固着されている。ブラケット１２５０のこのような位置は、上に図示、説明した他の実施例に関するよりも異なった角度を緩衝装置１２１０が有することができるようにしている。
【００４４】
さらに、上述した他の実施例におけるように、内部支持構造１２２２が、薄い影を付けて示されており、緩衝装置１２１０の頂部から、回転ピボットを通って足支持板部１２３０内にヒール支持板部１２２０の本体の長さに亘って延びている。例えば、内部支持構造１２２２は、足の底部側から作用される力をもって一層直接に接触することができる動的足支持プラットフォーム１２００の部分に対して付加的な構造支持を設けるように炭素繊維で被覆した金属支持部とすることができる。
【００４５】
本発明に従った足プラットフォームの別の例示的な実施例が図１４ａと図１４ｂに示されている。図１４ａにおいて、足支持プラットフォーム１４００は、足支持プラットフォーム１４００の中心位置により接近して配置された緩衝装置１４６０を有している。緩衝装置１４６０は、基部構造１４０１とヒール支持板部１４０２との間に固着されている。ロッド１４１０が、足支持プラットフォーム１４００の背端部において基部構造１４０１から上方に延びている。ロッド１４１０は、ロッド１４１０の一部１４３０を受けるロッド適合構造１４２０と滑動可能に係合している。使用者が、歩行する時のように運動中である時に、ヒール支持板部１４０２への下方の力は、ロッド１４１０がロッド適合構造１４２０内にさらに挿入され、これによって、ロッド適合構造１４２０内に配置されたロッド１４１０の増大された部分１４３０の原因となる。
【００４６】
図１４ｂに示されるような足支持プラットフォーム１４５０は、図１４ａに示される足支持プラットフォーム１４００と実質的に同じであるが、部材の以下に注意される別の配置がある。足支持プラットフォーム１４５０のピボット点１４０３の最も外方の部材は、ヒール支持板部１４０２である。代わりに、足支持プラットフォーム１４５０の最も外方の部材は、基部構造１４０１である。さらに、回転ガイド構造１４０４は、図１４ｂに示される例示的な実施例の基部構造１４０１の適宜な回転を案内する。他の実施例がまた可能である。ピボット点１４０３に非常に近接して緩衝装置１４６０を位置決めする利点は、緩衝装置１４６０が視野から消えて、与えられた足支持プラットフォーム上に明瞭に露出されないようになる。緩衝装置を隠すことは、美観または安全な見透しからの利点となる。
【００４７】
図１４ａおよび図１４ｂに示される例示的な実施例は、別の関連する可動部材を有することができる。１つの実施例において、基部構造１４０１は、比較的静的にでき、ヒール支持板部１４０２が基部構造１４０１に対して円弧状に可動する。あるいはまた、ヒール支持板部１４０２が比較的静的にでき、基部構造１４０１がヒール支持板部１４０２に対して円弧状に可動する。別の移動機構がまた可能である。
【００４８】
上記の例示的実施例は、回転するピンの形の標準の回転ピボットを有するように説明されている。しかしながら、多くの異なった別の例が、足支持プラットフォームに関してヒール支持板部の動きを許す限りはまた可能である。
【００４９】
本発明の動的足支持プラットフォームに使用できる回転ピボットの別の例示的な実施例が図１３に示されている。このようなピボットは、例えば、種々な位置でのヒンジ１３００の錠止を許す機構を有するヒンジ１３００を有することができる。ヒンジ１３００は、ほぼ細長いヒンジ本体１３３０を有しており、その両端に、ゴムや他の適宜な材料にできるプッシュボタンヘッド１３１０がある。プッシュボタンヘッド１３１０の内部には、プッシュボタンスライド軸１３７０に連結されたプッシュボタンアクチュエータ１３２０がある。ばね１３６０がプッシュボタンスライド軸１３７０を囲んでいて、プッシュボタンアクチュエータ１３２０と固定壁１３７０との間の空間に制限され、中空コアを有したノッチ歯付のナットとすることができる。
【００５０】
第２の壁１３５０は、プッシュボタンスライド軸１３７０の端部に適合し、固定壁１３４０に適合するように設計されている。第２の壁１３５０は、ノッチ歯付のナットにできる。図１３ｂは、歯１３９０の別の位置と、適合する壁の歯と係合する空間１３８９と適合する隙間とを示す壁１３４０、１３５０のノッチ領域の側断面図を示している。使用において、ヒンジ１３００は、図１５に就いて説明されるように、足支持板部に対するヒール支持板部の相対的な位置を固定できる。
【００５１】
図１５に示される例示的な実施例において、靴１５００は、ヒール支持板部１５２０と足支持板部１５３０とヒール部１５１０とを有するように示されている。回転ピボット１５４０は、ヒール支持板部１５２０を靴１５００の他の部分に対して枢動するようにできる。頂部バンド１５５０と底部バンド１５６０は、靴を装着者の足に固着するように使用される。ヒール支持板部１５２０は、使用者が歩行中である時のような、１つ以上の例示的な位置１５０１、１５０２、１５０３にできる。緩衝装置は、明確化のために図１５に示されていない。しかしながら、このような緩衝装置は、足支持板部１５３０内に配置して、図１４に示される構造と同様に、外観側の図から隠すようにできる。
【００５２】
代わりに、図１５に示される靴１５００は、図１３に関して図示、説明されるヒンジ１３００のようなヒンジである回転ピボット１５４０である限りは、ヒール支持板部１５２０に運動の範囲をさらに有するために、緩衝装置を必要としなくできる。みし、ヒンジ１３００が靴１５００に回転ピボット１５４０として使用されれば、そこで、使用者は、任意部材１５０１、１５０２、１５０３のように、ヒール支持板部１５２０の相対位置の任意部材を有するようになる。さらに、図１５に示される例示的な実施例において、使用者は、ヒール支持板部１５２０の所要の高さに基づいて、高いヒールや、適度の高さ、または比較的平らに靴を調節する任意な部材を有している。
【００５３】
しかしながら、緩衝装置なしに、靴１５００は、下方への応力を感知して、上方反応応力を設けるように緩衝装置を介してこれに反応する動的反応機構を有するようになっていない。与えられた履物のために、図１３に示されるように、緩衝装置とヒンジ１３００を有するようにできる。もし、これら２つの任意部材が使用されれば、使用者は、反応する履物を維持するが、１つの任意部材は、全運動の異なった位置に調節可能となる。他の任意部材が可能である。
【００５４】
本発明の上述の例示的な実施例が、靴やブーツのような標準の履物を用いて概略的に図示されて説明されたが、本発明はこのような使用に制限されることがなく、他の履物に使用できる。図１６ａは、図示および上述されるように本発明の動的足支持プラットフォームと協同するスキーまたはスノーボードブーツ１６００の例示的な実施例を示している。ブーツ１６００は、緩衝装置１６１０に連結された足固着部材１６２０を有している。錠止基部１６３０は、足固着部材１６２０と緩衝装置１６１０の両端部にまた連結されている。
【００５５】
使用において、装着者が山のスロープを滑る時に、種々なこぶと障害が、ブーツ１６００の足ストラップ部材１６２０に相対的な上下方向の応力を作用する。これらの伝達された力は、緩衝装置１６１０によって感知されて、幾つかの力が吸収されて、緩衝装置１６１０と足ストラップ部材１６２０を介して上方に押し戻される反応応力を生じる。同時的な運動において、足固着部材１６２０は、ピボットポイント１６４０周りの一定の上下運動において装着者の足の底側に通常に感じる応力を吸収する。任意的に、カバー１６１５が、緩衝装置１６１０を外観から隠したり保護して、緩衝装置１６１０の作用的寿命を低減してしまう雪やデブリから緩衝装置１６１０を保護することができる。
【００５６】
履物内に協同される本発明の実施例に従った動的足支持プラットフォームを有する履物の別の例示的な実施例が、図１６ｂに示されるアイススケート１６０１である。アイススケート１６０１は、図１６ａのスキーまたはスノーブーツ１６００に就いて説明したと同様な具合に作用する。足固着部材１６２１は、緩衝装置１６１１の相対的な長さの変化によってブレード１６３１に対してピボットポイント１６４１周りに移動する。簡略化のために、アイススケート１６００は、保護カバー１６１５を有しないために、目に見える緩衝装置１６１１を有するように図示されている。このようなカバー１６１５は、緩衝装置１６１１をデブリから保護するように足固着部材１６２１とブレード１６３１との間に固着することができる。
【００５７】
本発明の実施例に従った動的足プラットフォームと共同する履物の別の例示的な実施例において、インラインスケートまたはローラースケート１７００が図１７に示されている。インラインスケート１７００は、緩衝装置１７１０とホイールベース１７３０の両方に連結される足固着部材１７２０を有している。また、緩衝装置１７１０は、ホイールベース１７３０に連結されている。ホイールベース１７３０に対する足適合部材１７２０の相対的な運動は、緩衝装置１７１０の長さの変化によって生じられるピボットポイント１７４０周りの回転によって可能である。
【００５８】
本発明と協同する履物には、通常の静的な履物以上に多くの利点がある。動的足プラットフォームを有する使用者が装着する履物は、固い地面によって生じられる繰り返される静的な力に対して装着者の足をさらさないようになる。本発明の別の利点は、自然な歩行運動の間に足が曲がって彎曲するような、履物内における足自身の運動を許して、安楽さと血液の流れを促進することである。さらに、本発明に従った足支持プラットフォームと協同する高いヒールの靴を装着する使用者は、気楽でない形のハイヒール靴を感じることなく、一層長い期間の間このようなハイヒール靴を履くことができるようになる。また、高いヒールを有する靴で一般的に歩行または走行する際に発生される応力が、緩衝装置を用いて緩衝されるために、ヒールが破損する回数が低減されるので、従って、不都合な破損したヒールから使用者に対する不都合さと費用とが低減されるようになる。終りに、緩衝装置における調節可能な張力および／またはピボットヒンジは、このような動的足支持プラットフォームと協同する履物における最も気楽である運動の範囲を明白するように使用者に許している。気楽さと安全性と外観とに関連した多くの他の利点が明らかである。
【００５９】
上述の実施例が、特別な部材によって特別な具合に説明されたが、本発明は、このような形状に制限されない。例えば、上述の例示的な実施例は、自動車や自転車に使用されるようなショックアブソーバーのように明らかである緩衝装置を用いて説明されている。もし、ショックアブソーバーが使用されれば、例えば、０．７５〜１．００インチの範囲におけるような制限された間隔だけ移動するように予め決めることができる。ショックアブソーバーは、その特別な使用のために最も適した金属を用いて製造できる。本発明において使用できる例示的なショックアブソーバーは、通常のショックアブソーバーであるが、上述の作用に適合するように代わりのものとすることができる。例えば、“１１０〜１２０ポンド”のような異なった重量使用者のグループのために、種々なショックアブソーバーが関連できる。さらに、調節可能なショックアブソーバーが、異なった装着者に適合するように使用できるし、気楽な設定に、装着者を“協調”することができる。さらに、１つ以上のショックアブソーバーを、与えられた履物において４つまでのショックアブソーバーを使用できる。種々な位置が、各ショックアブソーバーのために選択でき、例えば履物に対して上下、前方または後方、あるいは他の適宜な位置に選択することができる。最後に、ショックアブソーバーは、空気、油または補強されたばねとすることができる。他の形がまた使用できる。
【００６０】
上述したようなどの履物、およびその適した部材の全てが、射出成形または真空成形のような通常の製造技術を用いる炭素繊維によって製造できる。このような製造方法は、継ぎ目と厚さの相違の無い、中空の形状に製造することを可能にする。さらに、このような製造方法は、軽量で強固な形状を提供する。ウレタンやプラスチックのような他の材料が、このような履物の製造にまた使用できる。ウレタンまたはプラスチックは、用具の量と製造費用とを低減できる。ウレタンのようなある特別な材料の使用は、製造費用をさらに低減すると共に、部材の全体の数と製造工程とを低減できるために、構造的一体性を維持する。例えば、ウレタンの一体的な本体は、連結部材とブラケットを有する本発明に従った靴支持構造全体を実質的に製造するように使用でき、構造的インサートの必要をさらに除去する。終りに、ここに説明されるように動的機構に適合した履物の本体部分が、締め付けなしでのこのような運動の結果として、緊張に耐え得るようにできる。このような本体部分のために使用できる例示的な形の材料は、例えば革、ゴム、混成材料または他の適宜な材料とすることができる。
【００６１】
本発明の表示される実施例の説明において、特別な順序の工程として本発明の方法および／またはプロセスを明細書は表示できる。しかしながら、ここに説明された特別な順序の工程に方法またはプロセスが当てにしない程度に、方法とプロセスは、説明された特別な順序の工程に制限されるものではない。当業者に明らかなように、他の順序の工程が可能である。従って、明細書に記載される特別な順序の工程は、請求の範囲における制限として構成されるべきではない。さらに、本発明の方法および／または工程に向けられる請求の範囲は、記載される順序のこれら工程の実施に制限されず、当業者においては、本発明の精神と範囲の内に、順序を変えて維持できることが容易に明白である。
【００６２】
本発明の実施例の以上の記載は、図示と説明のために示されている。説明した特別な形態に本発明が限られず、また制限されるように意図されるものでない。ここに説明される実施例の多くの変形と変更が、上述の説明に照らして当業者には明らかであろう。本発明の範囲は、ここに添付された請求の範囲と、その同等物とによってだけ制限されるべきである。
【図面の簡単な説明】
【００６３】
【図１】本発明の動的足支持プラットフォームの例示的な実施例を示す図である。
【図２ａ】本発明の動的足支持プラットフォームの例示的な実施例の種々な要素を示す図である。
【図２ｂ】図２ａの例示的な動的足支持プラットフォームのヒール支持シェルの平面図である。
【図２ｃ】図２ａの例示的な動的足支持プラットフォームのヒール支持シェルの斜視図である。
【図２ｄ】図２ａの例示的な動的足支持プラットフォームのヒール支持シェルの前部の斜視図である。
【図３】本発明の別の例示的な実施例に従った動的足支持プラットフォームを示す図である。
【図４】本発明の別の例示的な実施例に従った動的足支持プラットフォームの側面図である。
【図５】本発明の他の例示的な実施例に従った動的足支持プラットフォームの側面図である。
【図６ａ】本発明のさらに別の例示的な実施例に従った動的足支持プラットフォームの側面図である。
【図６ｂ】図６ａの動的足支持プラットフォームに使用される例示的な連結部材を示す図である。
【図６ｃ】図６ａの動的足支持プラットフォームの種々な要素を接続するように使用される例示的な連結部材を示す図である。
【図６ｄ】図６ａの動的足支持プラットフォームのピボット領域の側面図である。
【図６ｅ】図６ａの動的足支持プラットフォームに使用される例示的な連結部材を示す図である。
【図６ｆ】図６ａの動的足支持プラットフォームに使用される例示的な連結部材を示す図である。
【図７】本発明の他の例示的な実施例に従った足支持プラットフォームの部分的な側面図を有するインラインスケートまたはローラースケートの例示的な実施例を示すものである。
【図８ａ】本発明の例示的な実施例に従った動的な足支持プラットフォームの側面図である。
【図８ｂ】図８ａの足支持プラットフォームの要素を取付けるための例示的な連結部材を示す図である。
【図８ｃ】図８ａの動的足支持プラットフォームの種々な要素を接続するように使用される例示的な連結部材を示す図である。
【図８ｄ】図８ａの動的足支持プラットフォームのピボット領域の側面図である。
【図８ｅ】図８ａの足支持プラットフォームの連結部材を取付けるための例示的なコネクタを示す図である。
【図８ｆ】図８ａの足支持プラットフォームを取付けるための例示的な連結部材を示す図である。
【図９ａ】本発明の例示的な実施例に従った動的な足支持プラットフォームの背面図である。
【図９ｂ】図９ａの足支持プラットフォームの連結部材を示す図である。
【図９ｃ】図９ａの足支持プラットフォームの連結部材の側面図である。
【図１０】本発明の例示的な実施例に従った動的な足支持プラットフォームの背面図である。
【図１１】本発明の例示的な実施例に従った動的な足支持プラットフォームの背面図である。
【図１２】本発明の例示的な実施例に従った動的な足支持プラットフォームの側面図である。
【図１３ａ】本発明の例示的な実施例に従ったピボットヒンジの側面図である。
【図１３ｂ】図１３ａのピボットヒンジの長さに沿った図である。
【図１４ａ】本発明の例示的な実施例に従った動的足支持プラットフォームの例示的な実施例を示す図である。
【図１４ｂ】本発明の別の例示的な実施例に従った動的足支持プラットフォームの例示的な実施例を示す図である。
【図１５ａ】本発明に従った動的足支持プラットフォームを有する履物の例示的な実施例を示す図である。
【図１５ｂ】種々な例示的な位置のヒール支持シェルを有する本発明に従った動的な足支持プラットフォームを有する履物の例示的な実施例を示す図である。
【図１６ａ】本発明に従った動的足支持プラットフォームを有するスキーまたはスノーボードブーツの例示的な実施例を示す図である。
【図１６ｂ】本発明に従った動的足支持プラットフォームを有するアイススケートの例示的な実施例を示す図である。
【図１７】本発明に従った動的足支持プラットフォームを有するインラインスケートまたはローラースケートの例示的な実施例を示す図である。
【図１】
2005511180.tif 000003
【図２ａ】
2005511180.tif 000004
【図２ｂ】
2005511180.tif 000005
【図２ｃ】
2005511180.tif 000006
【図２ｄ】
2005511180.tif 000007
【図３】
2005511180.tif 000008
【図４】
2005511180.tif 000009
【図５】
2005511180.tif 000010
【図６ａ】
2005511180.tif 000011
【図６ｂ】
2005511180.tif 000012
【図６ｃ】
2005511180.tif 000013
【図６ｄ】
2005511180.tif 000014
【図６ｅ】
2005511180.tif 000015
【図６ｆ】
2005511180.tif 000016
【図７】
2005511180.tif 000017
【図８ａ】
2005511180.tif 000018
【図８ｂ】
2005511180.tif 000019
【図８ｃ】
2005511180.tif 000020
【図８ｄ】
2005511180.tif 000021
【図８ｅ】
2005511180.tif 000022
【図８ｆ】
2005511180.tif 000023
【図９ａ】
2005511180.tif 000024
【図９ｂ】
2005511180.tif 000025
【図９ｃ】
2005511180.tif 000026
【図１０】
2005511180.tif 000027
【図１１】
2005511180.tif 000028
【図１２】
2005511180.tif 000029
【図１３ａ】
2005511180.tif 000030
【図１３ｂ】
2005511180.tif 000031
【図１４ａ】
2005511180.tif 000032
【図１４ｂ】
2005511180.tif 000033
【図１５ａ】
2005511180.tif 000034
【図１５ｂ】
2005511180.tif 000035
【図１６ａ】
2005511180.tif 000036
【図１６ｂ】
2005511180.tif 000037
【図１７】
2005511180.tif 000038
【国際調査報告】
2005511180.tif 000039